(57)【要約】    【課題】カメラにて撮像された映像を動画映像で保存させ、予め保存された動画映像のうち所望の映像を選択又は一定時間毎に切り換えて動画映像でモニタに画面表示する際の利便性を高める。    【解決手段】玄関側に設置される少なくとも１台の玄関側カメラにて撮像された映像を動画映像で居室親機４の記憶手段４０７に保存し、保存された動画映像についてサムネイル処理を行った複数の動画映像のうち、選択又は一定時間毎に切り換えられた何れか１の動画映像をサムネイル処理された画面サイズでモニタ４００に画面表示する、或いは、複数の動画映像を同時にサムネイル処理された画面サイズでモニタに画面表示する。また、サムネイル処理された画面サイズでモニタに画面表示されている動画映像のうち特定の動画映像を選択してモニタに全画面で表示することにより、通話の音声を親機スピーカ４０２から出力させる。  【選択図】図２
2008187656.tif 000002
【特許請求の範囲】
【請求項１】
玄関側に、呼出ボタン（１００）を有する玄関子機（１ａ、１ｂ）と、前記玄関子機に内蔵される子機カメラ（１０１）、センサカメラ（２）、監視カメラ（３）から選択される少なくとも１台の玄関側カメラとを備え、
住戸内に、前記玄関子機からの呼び出しに応答して通話を成立し、前記玄関側カメラにて撮像された映像を出画するためのモニタ（４００）を有する居室親機（４）を備え、
前記玄関側カメラにて撮像された映像を動画映像で保存するための記憶手段（４０７、４０９）と、前記記憶手段に保存された複数の動画映像のうちサムネイル処理された何れか１の動画映像を前記サムネイル処理された画面サイズで前記モニタに画面表示するための表示映像選択手段（４０６、４０９）とを備えたことを特徴とするテレビドアホン装置。
【請求項２】
前記表示映像選択手段は、前記サムネイル処理された画面サイズで表示を行う特定の動画映像を選択して前記モニタに画面表示するための選択機能を備えたことを特徴とする請求項１記載のテレビドアホン装置。
【請求項３】
前記表示映像選択手段は、前記サムネイル処理された画面サイズで表示を行う特定の動画映像を一定時間毎に切り換えて前記モニタに画面表示するための計時／切換機能を備えたことを特徴とする請求項１記載のテレビドアホン装置。
【請求項４】
玄関側に、呼出ボタン（１００）を有する玄関子機（１ａ、１ｂ）と、前記玄関子機に内蔵される子機カメラ（１０１）、センサカメラ（２）、監視カメラ（３）から選択される少なくとも１台の玄関側カメラとを備え、
住戸内に、前記玄関子機からの呼び出しに応答して通話を成立し、前記玄関側カメラにて撮像された映像を出画するためのモニタ（４００）を有する居室親機（４）を備え、
前記玄関側カメラにて撮像された映像を動画映像で保存するための記憶手段（４０７、４０９）と、前記記憶手段に保存された複数の動画映像を同時にサムネイル処理された画面サイズで前記モニタに画面表示するための表示映像選択手段（４０６、４０９）とを備えたことを特徴とするテレビドアホン装置。
【請求項５】
前記表示映像選択手段は、前記サムネイル処理された画面サイズで前記モニタに画面表示されている動画映像のうち特定の動画映像を選択して前記モニタに全画面で表示するための選択機能を備えたことを特徴とする請求項１乃至請求項４のうち何れか１項記載のテレビドアホン装置。
【請求項６】
前記居室親機は、前記複数の動画映像のうち特定の動画映像を選択して前記モニタに全画面で表示されているときに、前記通話の音声を出力するための親機スピーカ（４０２）を備えたことを特徴とする請求項５記載のテレビドアホン装置。
【発明の詳細な説明】
【技術分野】
【０００１】
本発明はテレビドアホン装置に係り、特に、カメラにて撮像され予め保存された動画映像のモニタへの画面表示技術を有するテレビドアホン装置に関する。
【背景技術】
【０００２】
従来から、この種のテレビドアホン装置として、１または複数のカメラ付きドアホン子器と、１又は複数のテレビインターホン親機とを組み合わせて構成され、在宅設定時においても、来客の顔を確実に記録することのできるテレビインターホンシステムが開示されている（例えば、特許文献１を参照。）。
【０００３】
このテレビインターホンシステムによれば、留守録設定時においてテレビインターホン親機（親機）は、カメラ付きドアホン子器によって撮像された映像を静止画として録画（保存）するので、来客はドアホン子器に顔を向けるため、来客の顔を確実に録画することができる。また、録画された静止画は、所定の再生操作により録画した時刻データとともに再生することができる。
【０００４】
【特許文献１】特開２００２−２２３４３５号公報（例えば、段落番号「００２５、００３１」等、第１図、第６図）
【発明の開示】
【発明が解決しようとする課題】
【０００５】
しかしながら、背景技術に記載した特許文献１のテレビインターホンシステムにおいて、カメラ付きドアホン子器によって撮像された映像は静止画で録画されるため、この映像を確認するにあたって来客の詳細な動きを計時的に判断することは困難であった。また、この難点を解消する手段として動画で録画するにあたっては、動画の情報量が静止画の情報量と比較して大きいため、複数の動画の映像から所望の映像を選択するには多くの時間が必要となり煩雑さを有していた。
【０００６】
本発明は、この難点を解消するためになされたもので、カメラにて撮像された映像を動画映像で保存させ、予め保存された動画映像のうち所望の映像を選択又は一定時間毎に切り換えて動画映像でモニタに画面表示する際の利便性を高めたテレビドアホン装置を提供することを目的としている。
【課題を解決するための手段】
【０００７】
前述の目的を達成するため、本発明の第１の態様であるテレビドアホン装置は、玄関側に、呼出ボタンを有する玄関子機と、玄関子機に内蔵される子機カメラ、センサカメラ、監視カメラから選択される少なくとも１台の玄関側カメラとを備え、住戸内に、玄関子機からの呼び出しに応答して通話を成立し、玄関側カメラにて撮像された映像を出画するためのモニタを有する居室親機を備え、玄関側カメラにて撮像された映像を動画映像で保存するための記憶手段と、記憶手段に保存された複数の動画映像のうちサムネイル処理された何れか１の動画映像をサムネイル処理された画面サイズで画面表示するための表示映像選択手段とを備えたものである。
【０００８】
また、本発明の第２の態様であるテレビドアホン装置は、本発明の第１の態様において、表示映像選択手段は、サムネイル処理された画面サイズでモニタに画面表示を行う特定の動画映像を選択するための選択機能を備えたものである。
【０００９】
また、本発明の第３の態様であるテレビドアホン装置は、本発明の第１の態様において、表示映像選択手段は、サムネイル処理された画面サイズでモニタに画面表示を行う特定の動画映像を一定時間毎に切り換えるための計時／切換機能を備えたものである。
【００１０】
また、本発明の第４の態様であるテレビドアホン装置は、玄関側に、呼出ボタンを有する玄関子機と、玄関子機に内蔵される子機カメラ、センサカメラ、監視カメラから選択される少なくとも１台の玄関側カメラとを備え、住戸内に、玄関子機からの呼び出しに応答して通話を成立し、玄関側カメラにて撮像された映像を出画するためのモニタを有する居室親機を備え、玄関側カメラにて撮像された映像を動画映像で保存するための記憶手段と、記憶手段に保存された複数の動画映像を同時にサムネイル処理された画面サイズで画面表示するための表示映像選択手段とを備えたものである。
【００１１】
また、本発明の第５の態様であるテレビドアホン装置は、本発明の第１の態様乃至第４の各態様において、表示映像選択手段は、サムネイル処理された画面サイズでモニタに画面表示されている動画映像のうち特定の動画映像を選択してモニタに全画面で表示するための選択機能を備えたものである。
【００１２】
また、本発明の第６の態様であるテレビドアホン装置は、本発明の第５の態様において、居室親機は、複数の動画映像のうち特定の動画映像を選択してモニタに全画面で表示されているときに、通話の音声を出力するための親機スピーカを備えたものである。
【発明の効果】
【００１３】
本発明のテレビドアホン装置によれば、玄関側に設置される少なくとも１台の玄関側カメラにて撮像された映像を動画映像で居室親機の記憶手段に保存し、保存された動画映像についてサムネイル処理を行った複数の動画映像のうち、選択又は一定時間毎に切り換えられた何れか１の動画映像をサムネイル処理された画面サイズでモニタに画面表示する、或いは、複数の動画映像を同時にサムネイル処理された画面サイズでモニタに画面表示することができる。これにより、居室親機の記憶手段に予め保存された動画映像のうち所望の映像を選択又は切り換えて動画映像でモニタに画面表示する際の利便性を高めることができる。
【００１４】
また、本発明のテレビドアホン装置によれば、サムネイル処理された画面サイズで居室親機のモニタに画面表示されている動画映像のうち特定の動画映像を選択してモニタに全画面で表示すると、通話の音声を親機スピーカから出力させることができる。これにより、映像の確認だけでなく、映像に含まれた人物、例えば、来訪者の音声を確認することができ利便性が高められる。
【発明を実施するための最良の形態】
【００１５】
以下、本発明のテレビドアホン装置を適用した最良の実施の形態例について、図面を参照して説明する。図１は、本発明の実施例によるテレビドアホン装置の全体構成を示すシステム説明図である。
【００１６】
図１に示すテレビドアホン装置には、玄関に設置され来訪者が住戸内に在室中の居住者を呼び出して通話を成立させるための玄関子機、ここでは、２台の玄関子機（以下、第１、第２の各玄関子機という。）１ａ、１ｂと、玄関の周囲近傍の映像を撮像するために設けられ玄関側カメラを構成する少なくとも１台のカメラ、ここでは、センサカメラ２及び監視カメラ３と、住戸内に設置され、第１、第２の各玄関子機１ａ、１ｂを使用して呼出操作を行った来訪者からの呼び出しが報知され、この呼び出しに居住者が応答して通話を成立させるための居室親機４とで構成されている。また、第１、第２の各玄関子機１ａ、１ｂ、センサカメラ２及び監視カメラ３の各機器と居室親機４との間はそれぞれ、各伝送路Ｌ1、Ｌ2、Ｌ3、Ｌ4を経由して接続されている。
【００１７】
図１において、第１、第２の各玄関子機１ａ、１ｂはそれぞれ同様な構成であり、来訪者が居住者を呼び出すために操作する呼出ボタン１００と、前述のセンサカメラ２及び監視カメラ３とともに玄関側カメラを構成し、呼出操作を行った来訪者の映像（玄関の周囲近傍の映像を含む。）を撮像するための子機カメラ１０１と、来訪者が居住者との間で通話を成立させるための音声（送話音声、受話音声）を入出力する子機マイク１０２及び子機スピーカ１０３とが備えられている。なお、子機カメラ１０１としては、例えば、ＣＣＤ、ＣＭＯＳ等の各種の撮像媒体が好適とされる。
【００１８】
センサカメラ２には、玄関において当該センサカメラの設置場所の周囲近傍に人体が存在するか否かを監視するためのセンサ部２００と、センサ部２００にて感知される人体の映像（当該センサカメラの設置場所の周囲近傍の映像を含む。）を撮像するためのカメラ部２０１とが備えられている。なお、カメラ部２０１としては、例えば、ＣＣＤ、ＣＭＯＳ等の各種の撮像媒体が好適とされる。
【００１９】
監視カメラ３は、玄関の様子を監視するにあたり、当該監視カメラの設置場所の周囲近傍の映像を撮像するためのものであり、例えば、ＣＣＤ、ＣＭＯＳ等の各種の撮像媒体が好適とされる。
【００２０】
居室親機４は、玄関側カメラを構成する第１、第２の各玄関子機１ａ、１ｂの子機カメラ１０１、センサカメラ２のカメラ部２００及び監視カメラ３のうち選択された少なくとも何れか１の当該玄関側カメラにて撮像された映像を画面表示（出画と同意。）するためのモニタ４００と、居住者が来訪者との間で通話を成立させるための音声（送話音声、受話音声）を入出力する親機マイク４０１及び親機スピーカ４０２と、モニタ４００に動画映像又は静止映像で画面表示させる特定の映像を選択するための選択操作、来訪者からの呼び出しに応答するための応答操作、前述の玄関側カメラを駆動制御するための操作、留守録設定等が居住者により行われる操作部４０３とが備えられている。なお、モニタ４００としては、例えば、ＬＣＤ、ＰＤＰ、有機ＥＬディスプレイ等の各種の表示媒体が好適とされる。また、親機スピーカ４０２は、前述の通話機能の他に、第１、第２の各玄関子機１ａ、１ｂの呼出ボタン１００を操作した来訪者からの呼び出しがある旨の呼出音や音声メッセージ、センサカメラ２のセンサ部２００にて人体の存在が感知された旨の確認音や音声メッセージ等を放音することができる。さらに、操作部４０３としては、例えば、モニタ４００の前面に配置されるタッチパネルや、操作用途（目的）の相違に応じて異なる独立した押圧ボタン等が好適とされる。
【００２１】
図２は、本発明の実施例によるテレビドアホン装置において、居室親機４の具体的な構成を示すブロック図である。この居室親機４には、前述のモニタ４００、親機マイク４０１、親機スピーカ４０２及び操作部４０３と、呼出検出回路４０４と、センサ検出回路４０５と、映像処理回路（表示映像選択手段）４０６と、メモリ（記憶手段）４０７と、通話回路４０８と、ＣＰＵ（記憶手段、表示映像選択手段）４０９と、３つのインターフェース（以下、それぞれ子機側親機Ｉ／Ｆ、センサカメラ側親機Ｉ／Ｆ、監視カメラ側親機Ｉ／Ｆという。）４１０、４１１、４１２とが備えられている。なお、子機側親機Ｉ／Ｆ４１０、センサカメラ側親機Ｉ／Ｆ４１１及び監視カメラ側親機Ｉ／Ｆ４１２はそれぞれ、図示のような別体ではなく、一体で設けることもできる。
【００２２】
ここで、居室親機４において、呼出検出回路４０４は、第１、第２の各玄関子機１ａ、１ｂの呼出ボタン１００を操作した来訪者からの呼び出しを当該玄関子機毎に検出し、その旨の呼出検出信号を生成してＣＰＵ４０９に送出するためのものである。
【００２３】
センサ検出回路４０５は、センサカメラ２のセンサ部２００にて感知された人体の存在を検出し、その旨の人体検出信号を生成してＣＰＵ４０９に送出するためのものである。
【００２４】
映像処理回路４０６は、玄関側カメラを構成する第１、第２の各玄関子機１ａ、１ｂの子機カメラ１０１、センサカメラ２のカメラ部２０１及び監視カメラ３にてそれぞれ撮像された動画映像である映像信号を信号処理するものであり、例えば、ＦＭ復調後、モニタ４００に画面表示させるとともに、ＦＭ復調された映像信号を所定のサイズに圧縮して動画映像でメモリ４０７に保存することができる。また、映像処理回路４０６は、メモリ４０７から読み出される複数の動画映像のうちサムネイル処理された何れか１の動画映像をサムネイル処理された画面サイズでモニタ４００に画面表示する、或いは、複数の動画映像を同時にサムネイル処理された画面サイズでモニタ４００に画面表示することができる。また、映像処理回路４０６は、メモリ４０７から読み出される複数の動画映像のうち少なくとも１フレームを利用してサムネイル処理を行い複数の静止映像を同時にモニタ４００に画面表示（縮小表示）することができる。また、映像処理回路４０６は、前述の複数の動画映像のうちＣＰＵ４０９の制御により選択された特定の動画映像を、サムネイル処理された画面サイズでモニタ４００に画面表示するばかりでなく、このサムネイル処理された画面サイズでモニタ４００に画面表示される特定の動画映像を、ＣＰＵ４０９の制御により一定時間毎に切り換えることができる。また、映像処理回路４０６は、前述の複数の静止映像のうち選択される特定の静止映像を、ＣＰＵ４０９の制御により一定時間毎に切り換えることができる。
【００２５】
メモリ４０７は、映像処理回路４０６を経由して圧縮された映像信号を動画映像で保存するとともに、第１、第２の各玄関子機１ａ、１ｂの呼出ボタン１００を操作した来訪者により子機マイク１０２に入力された通話の音声を保存することができ、ＣＰＵ４０９により書込／読出制御される。このメモリ４０７としては、例えば、ＲＡＭ、ＥＥＰＲＯＭ等の各種の記憶媒体が好適とされる。
【００２６】
通話回路４０８は、親機マイク４０１及び親機スピーカ４０２と子機側親機Ｉ／Ｆ４１０との間で送受信される音声信号、又はメモリ４０７から読み出される音声信号を信号処理する、例えば、４線／２線変換、２線／４線変換、増幅等を行うものである。
【００２７】
ＣＰＵ４０９は、当該居室親機の構成各部／回路をそれぞれ制御するためのものである。具体的な制御としてＣＰＵ４０９は、呼出検出回路４０４からの呼出検出信号を受信して、モニタ４００及び／又は親機スピーカ４０２の使用による呼出報知を行うことができる。また、ＣＰＵ４０９は、センサ検出回路４０５からの人体検出信号を受信して、モニタ４００及び／又は親機スピーカ４０２の使用による人体感知報知を行うことができる。また、ＣＰＵ４０９は、操作部４０３の使用による映像選択操作を検出して映像処理回路４０６、メモリ４０７及び通話回路４０８をそれぞれ制御し、モニタ４００に画面表示させる動画映像又は静止映像を選択するとともに、メモリ４０７から読み出した音声信号を親機スピーカ４０２から出力させることができる。また、ＣＰＵ４０９は、計時機能を有しており、所定の時間の経過後において映像処理回路４０６、メモリ４０７及び通話回路４０８をそれぞれ制御し、モニタ４００に画面表示させる動画映像又は静止映像を切り換えるとともに、メモリ４０７から読み出した音声信号を親機スピーカ４０２から出力させることができる。さらに、ＣＰＵ４０９は、操作部４０３の使用による応答操作を検出して、通話回路４０８が能動となるように制御することができる。
【００２８】
子機側親機Ｉ／Ｆ４１０は、各伝送路Ｌ1、Ｌ2から呼出検出回路４０４への信号伝送ライン、各伝送路Ｌ1、Ｌ2から映像処理回路４０６への信号伝送ライン、通話回路４０８及び各伝送路Ｌ1、Ｌ2の間の信号伝送ライン（通話ライン）、各伝送路Ｌ1、Ｌ2及びＣＰＵ４０９の間の信号伝送ラインをそれぞれ形成するためのものである。また、センサカメラ側親機Ｉ／Ｆ４１１は、伝送路Ｌ3からセンサ検出回路４０５への信号伝送ライン、伝送路Ｌ3から映像処理回路４０６への信号伝送ライン、伝送路Ｌ3及びＣＰＵ４０９の間の信号伝送ラインをそれぞれ形成するためのものである。さらに、監視カメラ側親機Ｉ／Ｆ４１２は、伝送路Ｌ4から映像処理回路４０６への信号伝送路、伝送路Ｌ4及びＣＰＵ４０９の間の信号伝送路をそれぞれ形成するためのものである。
【００２９】
このように構成された本発明の実施例によるテレビドアホン装置において、以下、具体的な動作について、図１、図２及び図３乃至図６の各画面構成図をそれぞれ参照して説明する。なお、図３乃至図６はそれぞれ、居室親機４のモニタ４００にて行われる画面表示の表示例を示す画面構成図である
住戸玄関に居る来訪者が住戸内に在室中の居住者を呼び出すにあたり、図１に示す第１、第２の各玄関子機１ａ、１ｂのうち特定の当該玄関子機の呼出ボタン１００を使用して呼出操作を行う、ここでは、第１の玄関子機１ａの呼出ボタン１００を操作すると、伝送路Ｌ1、図２に示す居室親機４の子機側親機Ｉ／Ｆ４１０を経由して呼出検出回路４０４に呼出信号が伝送される。
【００３０】
居室親機４の呼出検出回路４０４は、第１の玄関子機１ａからの呼出信号を受信すると、当該第１の玄関子機の呼出ボタン１００を使用して呼出操作を行った来訪者からの呼び出しがあることを検出し、その旨の呼出検出信号を生成してＣＰＵ４０９に送出する。この呼出検出信号を受信したＣＰＵ４０９は、モニタ４００を画面表示可能な状態に制御するとともに、親機スピーカ４０２から所定の呼出音や音声メッセージ等を放音させて呼出報知を行うことができ、さらには、映像処理回路４０６を能動とし、メモリ４０７を書込可能な状態に制御する。なお、ＣＰＵ４０９は、呼出報知として、画面表示可能な状態に制御したモニタ４００に所定の呼出メッセージや絵データ等を表示させることもできる。
【００３１】
ここで、前述のような呼出操作が行われると、居室親機４のＣＰＵ４０９により第１の玄関子機１ａの子機カメラ１０１が能動となるように制御（詳述せず。）され、来訪者の映像（玄関の周囲近傍の映像を含む。）が動画映像で撮像開始される。この動画映像は、電気信号である映像信号（以下、第１の映像信号という。）に信号処理、例えば、ＦＭ変調された後、伝送路Ｌ1、居室親機４の子機側親機Ｉ／Ｆ４１０を経由して映像処理回路４０６に伝送される。
【００３２】
居室親機４の映像処理回路４０６は、受信した第１の映像信号を信号処理、例えば、ＦＭ復調し、モニタ４００に画面表示させるとともに、ＦＭ復調された第１の映像信号を所定のサイズに圧縮して動画映像でメモリ４０７に保存することができる。なお、メモリ４０７に保存される動画映像の第１の映像信号としては、第１の玄関子機１ａ（の子機カメラ１０１）を表す撮像元データや撮像時刻データが付与されている。
【００３３】
次に、前述の呼出報知及び映像の画面表示をもとに、第１の玄関子機１ａの呼出ボタン１００を使用して呼出操作を行った来訪者からの呼び出しがあることを当該来訪者の識別と併せて確認できた居住者が居室親機４の操作部４０３を使用して所定の応答操作（詳述せず。）を行うと、この応答操作を検出したＣＰＵ４０９の制御により通話回路４０８が能動となり、居住者が使用する親機マイク４０１及び親機スピーカ４０２と、当該通話回路、子機側親機Ｉ／Ｆ４１０、伝送路Ｌ1を経由して来訪者が使用する第１の玄関子機１ａの子機マイク１０２及び子機スピーカ１０３との間の通話ラインが形成され、音声信号を送受信させることで通話が成立する。また、第１の玄関子機１ａの呼出ボタン１００を使用して呼出操作を行った来訪者の音声信号（以下、第１の来訪者音声信号という。）は、居室親機４の通話回路４０８を経由してメモリ４０７に保存することができる。
【００３４】
また、第１の玄関子機１ａのカメラ１０１にて撮像された映像であり、居室親機４のメモリ４０７に動画映像の第１の映像信号として保存される動作は、通常、前述の通話が終了するまで行われる。
【００３５】
さらに、本発明の実施例においては、第１の玄関子機１ａの呼出ボタン１００を使用して来訪者が行った呼出操作の回数として、例えば、「２００６年１２月３日、１２：３０」、「２００６年１２月３日、１１：１５」、・・・のように異なる時刻で複数回行われたものとし、居室親機４のメモリ４０７には、前述の撮像時刻データがそれぞれ付与された第１の映像信号が時系列で複数保存されているものとする。
【００３６】
なお、前述までの説明においては、来訪者が居住者を呼び出すために特定の当該玄関子機の呼出ボタン１００を使用して呼出操作を行う機器として、第１の玄関子機１ａを適用したが、この態様に限定されず、第２の玄関子機１ｂの呼出ボタン１００を使用して来訪者が呼出操作を行った場合、居室親機４では、所定の呼出報知が行われ、第２の玄関子機１ｂの子機カメラ１０１にて撮像された映像を動画映像でモニタ４００に画面表示させることができ、この動画映像について所定のサイズに圧縮し、第２の玄関子機１ｂ（の子機カメラ１０１）を表す撮像元データや撮像時刻データを付与させた映像信号（以下、第２の映像信号という。）をメモリ４０７に保存することができる。また、第２の玄関子機１ｂの呼出ボタン１００を使用して呼出操作を行った来訪者と居住者との間で通話が成立されると、この来訪者の音声信号（以下、第２の来訪者音声信号という。）を、居室親機４のメモリ４０７に保存することができる。
【００３７】
また、第２の玄関子機１ｂのカメラ１０１にて撮像された映像であり、居室親機４のメモリ４０７に動画映像の第２の映像信号として保存される動作は、通常、通話が終了するまで行われる。
【００３８】
さらに、本発明の実施例においては、第２の玄関子機１ｂの呼出ボタン１００を使用して来訪者が行った呼出操作の回数として、例えば、「２００６年１２月２日、１９：２０」、「２００６年１２月１日、１４：４０」、・・・のように異なる時刻で複数回行われたものとし、居室親機４のメモリ４０７には、前述の撮像時刻データがそれぞれ付与された第２の映像信号が時系列で複数保存されているものとする。
【００３９】
次に、図１に示すセンサカメラ２の動作について説明する。このセンサカメラ２のセンサ部２００は、玄関の周囲近傍の様子を監視しており、例えば、泥棒等の不審者の存在を感知すると、伝送路Ｌ2、図２に示す居室親機４のセンサカメラ側親機Ｉ／Ｆ４１１を経由してセンサ検出回路４０５に人体感知信号が伝送される。
【００４０】
居室親機４のセンサ検出回路４０５は、センサカメラ２からの人体感知信号を受信すると、玄関の周囲近傍に例えば、泥棒等の不審者の存在があることを検出し、その旨の人体検出信号を生成してＣＰＵ４０９に送出する。この人体検出信号を受信したＣＰＵ４０９は、モニタ４００を画面表示可能な状態に制御するとともに、親機スピーカ４０２から所定の警報音や音声メッセージ等を鳴動させて警報発報を行うことができ、さらには、映像処理回路４０６を能動とし、メモリ４０７を書込可能な状態に制御する。なお、ＣＰＵ４０９は、警報発報として、画面表示可能な状態に制御したモニタ４００に所定の警報メッセージや絵データ等を表示させることもできる。
【００４１】
ここで、前述のような人体感知が行われると、センサカメラ２のカメラ部２０１が能動となり、当該人体感知の対象である泥棒等の不審者の映像（当該センサカメラの周囲近傍の映像を含む。）の撮像が開始される。この映像は、電気信号である映像信号（以下、第３の映像信号という。）に信号処理、例えば、ＦＭ変調された後、伝送路Ｌ3、居室親機４のセンサカメラ側親機Ｉ／Ｆ４１１を経由して映像処理回路４０６に伝送される。
【００４２】
居室親機４の映像処理回路４０６は、受信した第３の映像信号を信号処理、例えば、ＦＭ復調し、モニタ４００に画面表示させるとともに、ＦＭ復調された第３の映像信号を所定のサイズに圧縮して動画映像でメモリ４０７に保存することができる。なお、メモリ４０７に保存される動画映像の第３の映像信号としては、センサカメラ２（のカメラ部２０１）を表す撮像元データや撮像時刻データが付与されている。
【００４３】
また、本発明の実施例においては、センサカメラ２のカメラ部２０１が能動となった回数として、例えば、「２００６年１２月３日、１２：３０」、「２００６年１２月３日、１１：１５」、・・・のように異なる時刻で複数回であったものとし、居室親機４のメモリ４０７には、前述の撮像時刻データがそれぞれ付与された第３の映像信号が時系列で複数保存されているものとする。
【００４４】
次に、監視カメラ３の動作について説明する。この監視カメラ３は、通常、住戸内に在室中の居住者が所定の起動操作を行う、例えば、居室親機４の操作部４０３を使用して所定の起動操作（詳述せず。）を行うことにより玄関の周囲近傍の撮像を開始し、この起動操作を検出したＣＰＵ４０９は、映像処理回路４０６を能動とし、さらには、メモリ４０７を書込可能な状態に制御する。
【００４５】
監視カメラ３にて撮像された玄関の周囲近傍の映像は、電気信号である映像信号（以下、第４の映像信号という。）に信号処理、例えば、ＦＭ変調された後、伝送路Ｌ4、居室親機４の監視カメラ側親機Ｉ／Ｆ４１２を経由して映像処理回路４０６に伝送される。
【００４６】
居室親機４の映像処理回路４０６は、受信した第４の映像信号を信号処理、例えば、ＦＭ復調し、モニタ４００に画面表示させるとともに、ＦＭ復調された第４の映像信号を所定のサイズに圧縮して動画映像でメモリ４０７に保存することができる。なお、メモリ４０７に保存される動画映像の第４の映像信号としては、監視カメラ３を表す撮像元データや撮像時刻データが付与されている。
【００４７】
また、本発明の実施例においては、監視カメラ３が能動となった回数として、例えば、「２００６年１２月３日、８：００」、「２００６年１２月１日、１０：５０」、・・・のように異なる時刻で複数回であったものとし、居室親機４のメモリ４０７には、前述の撮像時刻データがそれぞれ付与された第４の映像信号が時系列で複数保存されているものとする。
【００４８】
次に、複数の動画映像である第１乃至第４の各映像信号のうち少なくとも１の当該映像信号、ここでは、第１乃至第４の各映像信号が全て居室親機４のメモリ４０７に時系列で予め保存されている場合において、住戸内に在室中の居住者が行う操作として、操作部４０３を使用して所定の起動操作（詳述せず。）を行うと、この操作を検出したＣＰＵ４０９は、メモリ４０７に時系列で予め保存されている第１乃至第４の各映像信号を所定の順序で読み出し、映像処理回路４０６を経由してサムネイル処理された何れか１の映像信号を、サムネイル処理された画面サイズの動画映像でモニタ４００に画面表示し、その他の映像信号については、少なくとも１フレームを利用してサムネイル処理された画面サイズの静止映像でモニタ４００に画面表示することができる。
【００４９】
ここでは、所定の順序として、第１の映像信号を先頭に、第２の映像信号、第３の映像信号、第４の映像信号の順序で読み出したとすると、第１の玄関子機１ａの子機カメラ１０１にて撮像された映像である時系列で異なる複数の第１の映像信号のうち最新の撮像時刻データ「２００６年１２月３日、１２：３０」が付与された当該第１の映像信号についてサムネイル処理を行った動画映像（以下、第１の動画映像という。）Ａ1と、第２の玄関子機１ｂの子機カメラ１０１にて撮像された映像である時系列で異なる複数の第２の映像信号のうち最新の撮像時刻データ「２００６年１２月２日、１９：２０」が付与された当該第２の映像信号について少なくとも１フレームを利用してサムネイル処理を行った静止映像（以下、第２の静止映像という。）Ｂ2とをそれぞれ、図３に示すように、サムネイル処理された画面サイズで居室親機４のモニタ４００に画面表示させることができる。なお、モニタ４００に画面表示された第１の動画映像Ａ1及び第２の静止映像Ｂ2にはそれぞれ、撮像元のデータや、撮像日時のデータが付与されている。
【００５０】
次に、図３に示すように、第１の動画映像Ａ1及び第２の静止映像Ｂ2がそれぞれ、サムネイル処理された画面サイズで居室親機４のモニタ４００に画面表示されているとき、居住者が操作部４０３を使用して所望の映像である第１の動画映像Ａ1を選択すると、この操作を検出したＣＰＵ４０９は、第１の動画映像Ａ1に該当する第１の映像信号をメモリ４０７から読み出し、映像処理回路４０６を経由してモニタ４００に送出するとともに、メモリ４０７に予め保存されている第１の来訪者音声信号を読み出し、通話回路４０８を経由して親機スピーカ４０２に送出することができる。
【００５１】
この制御により、第１の玄関子機１ａの子機カメラ１０１にて撮像され居室親機４のメモリ４０７に予め保存されている複数の第１の動画映像のうち、撮像元のデータ「第１の玄関子機」や撮像日時のデータ「２００６年１２月３日、１２：３０」が付与された最新の第１の動画映像を、モニタ４００に全画面で画面表示することができるばかりでなく、第１の玄関子機１ａの呼出ボタン１００を操作した来訪者の音声であるメモリ４０７に予め保存されている音声を親機スピーカ４０２から出力させることができる。
【００５２】
次に、図３に示すように、第１の動画映像Ａ1及び第２の静止映像Ｂ2がそれぞれ、サムネイル処理された画面サイズで居室親機４のモニタ４００に画面表示されているとき、居住者が操作部４０３を使用して所望の映像である第２の静止映像Ｂ2を選択すると、この操作を検出したＣＰＵ４０９は、第２の静止映像Ｂ2に該当する第２の映像信号をメモリ４０７から読み出し、映像処理回路４０６を経由してサムネイル処理を行い、サムネイル処理された画面サイズの動画映像（以下、第２の動画映像という。）Ａ2でモニタ４００に画面表示するとともに、第１の動画映像Ａ1に該当する第１の映像信号をメモリ４０７から読み出し、少なくとも１フレームを利用してサムネイル処理された静止映像（以下、第１の静止映像という。）Ｂ1でモニタ４００に画面表示することができる。なお、モニタ４００に画面表示された第２の動画映像Ａ2及び第１の静止映像Ｂ1にはそれぞれ、撮像元のデータや撮像日時のデータが付与されている。
【００５３】
次に、図３に示すように、第２の動画映像Ａ2及び第１の静止映像Ｂ1がそれぞれ、サムネイル処理された画面サイズで居室親機４のモニタ４００に画面表示されているとき、居住者が操作部４０３を使用して所望の映像である第２の動画映像Ａ2を選択すると、この操作を検出したＣＰＵ４０９は、第２の動画映像Ａ2に該当する第２の映像信号をメモリ４０７から読み出し、映像処理回路４０６を経由してモニタ４００に送出するとともに、メモリ４０７に予め保存されている第２の来訪者音声信号を読み出し、通話回路４０８を経由して親機スピーカ４０２に送出することができる。
【００５４】
この制御により、第２の玄関子機１ｂの子機カメラ１０１にて撮像され居室親機４のメモリ４０７に予め保存されている複数の第２の動画映像のうち、撮像元のデータ「第２の玄関子機」や撮像日時のデータ「２００６年１２月２日、１９：２０」が付与された最新の第２の動画映像を、モニタ４００に全画面で画面表示することができるばかりでなく、第２の玄関子機１ｂの呼出ボタン１００を操作した来訪者の音声であるメモリ４０７に予め保存されている音声を親機スピーカ４０２から出力させることができる。
【００５５】
次に、図４に示すように、第１の動画映像Ａ1及び第２の静止映像Ｂ2がそれぞれ、サムネイル処理された画面サイズで居室親機４のモニタ４００に画面表示されているとき、居住者が操作部４０３を使用して例えば、上方向に操作（詳述せず。）を行うと、この操作を検出したＣＰＵ４０９は、メモリ４０７に予め保存されている第１乃至第４の各映像信号のうち、センサカメラ２のカメラ部２０１にて撮像された映像である時系列で異なる複数の第３の映像信号のうち最新の撮像時刻データ「２００６年１２月３日、１２：３０」が付与された当該第３の映像信号についてサムネイル処理を行った動画映像（以下、第３の動画映像という。）Ａ3と、監視カメラ３にて撮像された映像である時系列で異なる複数の第４の映像信号のうち最新の撮像時刻データ「２００６年１２月３日、８：００」が付与された当該第４の映像信号について少なくとも１フレームを利用してサムネイル処理を行った静止映像（以下、第４の静止映像という。）Ｂ4とをそれぞれ、サムネイル処理された画面サイズでモニタ４００に画面表示させることができる。また、モニタ４００に画面表示された第３の動画映像Ａ3及び第４の静止映像Ｂ4にはそれぞれ、撮像元のデータや、撮像日時のデータが付与されている。
【００５６】
なお、図４に示すように、第３の動画映像Ａ3及び第４の静止映像Ｂ4がそれぞれ、サムネイル処理された画面サイズで居室親機４のモニタ４００に画面表示されているとき、居住者が操作部４０３を使用して所望の映像である第３の動画映像Ａ3を選択したときの動作と、第４の静止映像Ｂ4を選択した後に画面表示される第４の動画映像Ａ4を選択したときの動作とは、センサカメラ２のカメラ部２０１にて撮像され居室親機４のメモリ４０７に予め保存されている複数の第３の動画映像のうち、撮像元のデータ「センサカメラ」や撮像日時のデータ「２００６年１２月３日、１２：３０」が付与された最新の第３の動画映像をモニタ４００に全画面で画面表示することと、監視カメラ３にて撮像され居室親機４のメモリ４０７に予め保存されている複数の第４の動画映像のうち、撮像元のデータ「監視カメラ」や撮像日時のデータ「２００６年１２月３日、８：００」が付与された最新の第４の動画映像をモニタ４００に全画面で画面表示することのように、前述の説明で引用した図３の該当動作と同一であるため、説明は省略する。
【００５７】
また、前述までの説明では、図３及び図４にそれぞれ示すように、居室親機４のモニタ４００にサムネイル処理された画面サイズで画面表示されている第１の動画映像Ａ1及び第２の静止映像Ｂ2を第２の動画映像Ａ2及び第１の静止映像Ｂ1の表示に切り換える、同様に第１の動画映像Ａ1及び第２の静止映像Ｂ2を第３の動画映像Ａ3及び第４の静止映像Ｂ4の表示に切り換える、同様に第３の動画映像Ａ3及び第４の静止映像Ｂ4を第４の動画映像Ａ4及び第３の静止映像Ｂ3の表示に切り換えるにあたり、そのトリガとしては、居住者による操作部４０３の操作を検出したＣＰＵ４０９の制御を適用したが、この態様に限定されるものではない。例えば、ＣＰＵ４０９が有する計時機能を使用し、モニタ４００に画面表示させる映像を、前述のように切り換えることもできる。
【００５８】
さらに、前述までの説明では、図３及び図４にそれぞれ示すように、居室親機４のモニタ４００にサムネイル処理された画面サイズで画面表示される映像として、第１の動画映像Ａ1及び第２の静止映像Ｂ2と、第２の動画映像Ａ2及び第１の静止映像Ｂ1と、第３の動画映像Ａ3及び第４の静止映像Ｂ4と、第４の動画映像Ａ4及び第３の静止映像Ｂ3のように、複数の動画映像のうちサムネイル処理された何れか１の動画映像を、サムネイル処理された画面サイズでモニタ４００に画面表示させたが、この態様に限定されるものではない。
【００５９】
例えば、居室親機４のメモリ４０７に予め保存されている複数の動画映像である第１乃至第４の各映像信号のうち、第１乃至の各映像信号についてそれぞれサムネイル処理を行った第１、第２の各動画映像Ａ1、Ａ2、Ａ3、Ａ4のように、複数の動画映像を同時にサムネイル処理された画面サイズでモニタ４００に画面表示させることもできる。
【００６０】
次に、前述までの図３及び図４の各表示例とは異なる別途の表示例について、図５及び図６をそれぞれ参照して説明する。
【００６１】
前述のように、複数の動画映像である第１乃至第４の各映像信号が全て居室親機４のメモリ４０７に時系列で予め保存されている場合において、住戸内に在室中の居住者による所定の起動操作（詳述せず。）を検出したＣＰＵ４０９は、メモリ４０７に時系列で予め保存されている第１乃至第４の各映像信号を所定の順序で読み出し、映像処理回路４０６を経由してサムネイル処理された何れか１の動画映像を、サムネイル処理された画面サイズでモニタ４００に画面表示し、その他の動画映像については、少なくとも１フレームを利用してサムネイル処理された静止映像でモニタ４００に画面表示することができる。
【００６２】
ここでは、所定の順序として、第１の映像信号を先頭に、第２の映像信号、第３の映像信号、第４の映像信号の順序で読み出したとすると、モニタ４００には、図５に示すように、第１の玄関子機１ａの子機カメラ１０１にて撮像された映像である時系列で異なる複数の第１の映像信号のうち最新の撮像時刻データ「２００６年１２月３日、１２：３０」が付与された当該第１の映像信号についてサムネイル処理を行った第１の動画映像Ａ1aと、同様に時系列で異なる複数の第１の映像信号のうち最新から２番目に撮像された映像の撮像時刻データ「２００６年１２月３日、１１：１５」が付与された当該第１の映像信号について少なくとも１フレームを利用してサムネイル処理を行った第１の静止映像Ｂ1bと、第２の玄関子機１ｂの子機カメラ１０１にて撮像された映像である時系列で異なる複数の第２の映像信号のうち最新の撮像時刻データ「２００６年１２月２日、１９：２０」及び当該最新から２番目に撮像された映像の撮像時刻データ「２００６年１２月１日、１４：４０」がそれぞれ付与された当該第２の映像信号について少なくとも１フレームを利用してサムネイル処理を行った第２の静止映像Ｂ2a、Ｂ2bとをそれぞれ、サムネイル処理された画面サイズでモニタ４００に画面表示させることができる。なお、モニタ４００に画面表示された第１の動画映像Ａ1a、第１の静止映像Ｂ1b及び第２の静止映像Ｂ2a、Ｂ2bにはそれぞれ、撮像日時のデータが付与されている。
【００６３】
次に、図５に示すように、第１の動画映像Ａ1a、第１の静止映像Ｂ1b及び第２の静止映像Ｂ2a、Ｂ2bがそれぞれ、サムネイル処理された画面サイズで居室親機４のモニタ４００に画面表示されているとき、居住者が操作部４０３を使用して所望の映像である第１の動画映像Ａ1aを選択すると、この操作を検出したＣＰＵ４０９は、前述の説明と同様、第１の玄関子機１ａの子機カメラ１０１にて撮像されメモリ４０７に予め保存されている複数の第１の動画映像のうち、撮像元のデータ「第１の玄関子機」や撮像日時のデータ「２００６年１２月３日、１２：３０」が付与された当該第１の動画映像を、モニタ４００に全画面で表示することができるばかりでなく、第１の玄関子機１ａの呼出ボタン１００を操作した来訪者の音声であるメモリ４０７に予め保存されている第１の来訪者音声信号を親機スピーカ４０２から出力させることができる。
【００６４】
次に、図５に示すように、第１の動画映像Ａ1a、第１の静止映像Ｂ1b及び第２の静止映像Ｂ2a、Ｂ2bがそれぞれ、サムネイル処理された画面サイズで居室親機４のモニタ４００に画面表示されているとき、居住者が操作部４０３を使用して所望の映像である第１の静止映像Ｂ1bを選択すると、この操作を検出したＣＰＵ４０９は、第１の静止映像Ｂ1bに該当する第１の映像信号をメモリ４０７から読み出し、映像処理回路４０６を経由してサムネイル処理を行い、サムネイル処理された画面サイズの第１の動画映像Ａ1bでモニタ４００に画面表示するとともに、第１の動画映像Ａ1aに該当する第１の映像信号をメモリ４０７から読み出し、少なくとも１フレームを利用してサムネイル処理された第１の静止映像Ｂ1aでモニタ４００に画面表示することができる。なお、モニタ４００に画面表示されている第２の静止映像Ｂ2a、Ｂ2bはそのままの状態で画面表示が保持されており、第１の動画映像Ａ1b及び第１の静止映像Ｂ1aにはそれぞれ、撮像日時のデータが付与されている。
【００６５】
次に、図５に示すように、第１の動画映像Ａ1b、第１の静止映像Ｂ1a及び第２の静止映像Ｂ2a、Ｂ2bがそれぞれ、サムネイル処理された画面サイズで居室親機４のモニタ４００に画面表示されているとき、居住者が操作部４０３を使用して所望の映像である第１の動画映像Ａ1bを選択すると、この操作を検出したＣＰＵ４０９は、前述の説明と同様、第１の玄関子機１ａの子機カメラ１０１にて撮像されメモリ４０７に予め保存されている複数の第１の動画映像のうち、撮像元のデータ「第１の玄関子機」や撮像日時のデータ「２００６年１２月３日、１１：１５」が付与された当該第１の動画映像を、モニタ４００に全画面で表示することができるばかりでなく、第１の玄関子機１ａの呼出ボタン１００を操作した来訪者の音声であるメモリ４０７に予め保存されている第１の来訪者音声信号を親機スピーカ４０２から出力させることができる。
【００６６】
次に、図５に示すように、第１の動画映像Ａ1b、第１の静止映像Ｂ1b及び第２の静止映像Ｂ2a、Ｂ2bがそれぞれ、サムネイル処理された画面サイズで居室親機４のモニタ４００に画面表示されているとき、居住者が操作部４０３を使用して所望の映像である第２の静止映像Ｂ2a、Ｂ2bのうち撮像日時のデータが「２００６年１２月２日、１９時２０分」の静止映像Ｂ2aを選択すると、この操作を検出したＣＰＵ４０９は、第２の静止映像Ｂ2aに該当する第２の映像信号をメモリ４０７から読み出し、映像処理回路４０６を経由してサムネイル処理を行い、サムネイル処理された画面サイズの第２の動画映像Ａ2aでモニタ４００に画面表示するとともに、第１の動画映像Ａ1bに該当する第１の映像信号をメモリ４０７から読み出し、少なくとも１フレームを利用してサムネイル処理された第１の静止映像Ｂ1bでモニタ４００に画面表示することができる。なお、モニタ４００に画面表示されている第１の静止映像Ｂ1a、第２の静止映像Ｂ2bはそのままの状態で画面表示が保持されており、第２の動画映像Ａ2aには、撮像日時のデータが付与されている。
【００６７】
次に、図５に示すように、第２の動画映像Ａ2a、第１の静止映像Ｂ1a、Ｂ1b及び第２の静止映像Ｂ2bがそれぞれ、サムネイル処理された画面サイズで居室親機４のモニタ４００に画面表示されているとき、居住者が操作部４０３を使用して所望の映像である第２の動画映像Ａ2aを選択すると、この操作を検出したＣＰＵ４０９は、前述の説明と同様、第２の玄関子機１ｂの子機カメラ１０１にて撮像されメモリ４０７に予め保存されている複数の第２の動画映像のうち、撮像元のデータ「第２の玄関子機」や撮像日時のデータ「２００６年１２月２日、１９：２０」が付与された当該第２の動画映像を、モニタ４００に全画面で表示することができるばかりでなく、第２の玄関子機１ｂの呼出ボタン１００を操作した来訪者の音声であるメモリ４０７に予め保存されている第２の来訪者音声信号を親機スピーカ４０２から出力させることができる。
【００６８】
次に、図６に示すように、第１の動画映像Ａ1a、第１の静止映像Ｂ1b、及び第２の静止映像Ｂ2a、Ｂ2bがそれぞれ、サムネイル処理された画面サイズで居室親機４のモニタ４００に画面表示されているとき、居住者が操作部４０３を使用して例えば、右方向に操作（詳述せず。）を行うと、この操作を検出したＣＰＵ４０９は、メモリ４０７に予め保存されている第１乃至第４の各映像信号のうち、センサカメラ２のカメラ部２０１にて撮像された映像である時系列で異なる複数の第３の映像信号のうち最新の撮像時刻データ「２００６年１２月３日、１２：３０」が付与された当該第３の映像信号についてサムネイル処理を行った第３の動画映像Ａ3aと、同様に時系列で異なる複数の第３の映像信号のうち最新から２番目に撮像された映像の撮像時刻データ「２００６年１２月３日、１１：１５」が付与された当該第３の映像信号について少なくとも１フレームを利用してサムネイル処理を行った第３の静止映像Ｂ3bと、監視カメラ３にて撮像された映像である時系列で異なる複数の第４の映像信号のうち最新の撮像時刻データ「２００６年１２月３日、８：００」及び当該最新から２番目に撮像された映像の撮像時刻データ「２００６年１２月１日、１０：５０」がそれぞれ付与された当該第４の映像信号について少なくとも１フレームを利用してサムネイル処理を行った第２の静止映像Ｂ4a、Ｂ4bとをそれぞれ、サムネイル処理された画面サイズでモニタ４００に画面表示させることができる。なお、モニタ４００に画面表示された第３の動画映像Ａ3a、第３の静止映像Ｂ3b及び第４の静止映像Ｂ4a、Ｂ4bにはそれぞれ、撮像日時のデータが付与されている。
【００６９】
なお、図６に示すように、第３の動画映像Ａ3a、第３の静止映像Ｂ3b及び第４の静止映像Ｂ4a、Ｂ4bがそれぞれ、サムネイル処理された画面サイズで居室親機４のモニタ４００に画面表示されているとき、居住者が操作部４０３を使用して所望の映像である第３の動画映像Ａ3aを選択したときの動作と、第３の静止映像Ｂ3bを選択した後に画面表示される第３の動画映像Ａ3bを選択したときの動作と、第４の静止映像Ｂ4a、Ｂ4bのうち例えば、第４の静止映像Ｂ4aを選択した後に画面表示される第４の動画映像Ａ4aを選択したときの動作とは、センサカメラ２のカメラ部２０１にて撮像され居室親機４のメモリ４０７に予め保存されている複数の第３の動画映像のうち、撮像元のデータ「センサカメラ」や撮像日時のデータ「２００６年１２月３日、１２：３０」が付与された最新の第３の動画映像をモニタ４００に全画面で画面表示すること、同様に居室親機４のメモリ４０７に予め保存されている複数の第３の動画映像のうち、撮像元のデータ「センサカメラ」や撮像日時のデータ「２００６年１２月３日、１１：１５」が付与された最新から２番目に撮像された第３の動画映像をモニタ４００に全画面で画面表示すること、監視カメラ３にて撮像され居室親機４のメモリ４０７に予め保存されている複数の第４の動画映像のうち、撮像元のデータ「監視カメラ」や撮像日時のデータ「２００６年１２月３日、８：００」が付与された最新の第４の動画映像をモニタ４００に全画面で画面表示することのように、前述の説明で引用した図５の該当動作と同一であるため、説明は省略する。
【００７０】
また、前述までの説明では、図５及び図６にそれぞれ示すように、居室親機４のモニタ４００にサムネイル処理された画面サイズで画面表示されている第１の動画映像Ａ1a、第１の静止映像Ｂ1b及び第２の静止映像Ｂ2a、Ｂ2bを第１の動画映像Ａ1b、第１の静止映像Ｂ1a及び第２の静止映像Ｂ2a、Ｂ2bの表示に切り換える、同様に第１の動画映像Ａ1b、第１の静止映像Ｂ1a及び第２の静止映像Ｂ2a、Ｂ2bを第２の動画映像Ａ2a、第１の静止映像Ｂ1a、Ｂ1b及び第２の静止映像Ｂ2bの表示に切り換える、同様に第３の動画映像Ａ3a、第３の静止映像Ｂ3b及び第４の静止映像Ｂ4a、Ｂ4bを第３の動画映像Ａ3b、第３の静止映像Ｂ3a及び第４の静止映像Ｂ4a、Ｂ4bの表示に切り換える、同様に第３の動画映像Ａ3b、第３の静止映像Ｂ3a及び第４の静止映像Ｂ4a、Ｂ4bを第４の動画映像Ａ4a、第３の静止映像Ｂ3a、Ｂ3b及び第４の静止映像Ｂ4bの表示に切り換えるにあたり、そのトリガとしては、居住者による操作部４０３の操作を検出したＣＰＵ４０９の制御を適用したが、この態様に限定されるものではない。例えば、ＣＰＵ４０９が有する計時機能を使用し、モニタ４００に画面表示させる映像を、前述のように切り換えることもできる。
【００７１】
さらに、前述までの説明では、図５及び図６にそれぞれ示すように、居室親機４のモニタ４００にサムネイル処理された画面サイズで画面表示される映像として、第１の動画映像Ａ1a、第１の静止映像Ｂ1b及び第２の静止映像Ｂ2a、Ｂ2bと、第１の動画映像Ａ1b、第１の静止映像Ｂ1a及び第２の静止映像Ｂ2a、Ｂ2bと、第２の動画映像Ａ2a、第１の静止映像Ｂ1a、Ｂ1b及び第２の静止映像Ｂ2bと、第３の動画映像Ａ3b、第３の静止映像Ｂ3a及び第４の静止映像Ｂ4a、Ｂ4bと、第４の動画映像Ａ4a、第３の静止映像Ｂ3a、Ｂ3b及び第４の静止映像Ｂ4bのように、複数の動画映像のうちサムネイル処理された何れか１の動画映像を、サムネイル処理された画面サイズでモニタ４００に画面表示させたが、この態様に限定されるものではない。
【００７２】
例えば、居室親機４のメモリ４０７に予め保存されている複数の動画映像である第１乃至第４の各映像信号のうち、第１乃至第４の各映像信号についてそれぞれサムネイル処理を行った第１、第２の各動画映像Ａ1a、Ａ1b、Ａ2a、Ａ2b、Ａ3a、Ａ3b、Ａ4a、Ａ4bのように、複数の動画映像を同時にサムネイル処理された画面サイズでモニタ４００に画面表示させることもできる。
【００７３】
なお、前述まで実施例においては、居室親機４のメモリ４０７に予め保存されている複数の動画映像のうち、サムネイル処理された何れか１の動画映像をサムネイル処理された画面サイズでモニタ４００に画面表示させる態様、或いは、複数の動画映像を同時にサムネイル処理された画面サイズでモニタ４００に画面表示させる態様について説明したが、これらの態様に限定されるものではない。
【００７４】
例えば、居室親機４のメモリ４０７に予め保存されている複数の動画映像である第１乃至第４の各映像信号のうち少なくとも１フレームを利用してサムネイル処理を行い複数の静止映像を同時にモニタ４００に画面表示させる、或いは、複数の静止映像を一定時間毎に切り換えて同時にモニタ４００に画面表示させることもでき、同時に表示されている複数の静止映像のうち、居住者が操作部４０３を使用して所望の映像を選択すると、選択された静止映像に該当する当該映像信号がメモリ４０７から読み出され、撮像元のデータや撮像日時のデータが付与された動画映像でモニタ４００に全画面で表示することができる（詳述せず。）。
【００７５】
また、前述までの実施例においては、玄関側カメラとして、第１、第２の各玄関子機１ａ、１ｂの子機カメラ１０１、センサカメラ２のカメラ部２０１及び監視カメラ３をそれぞれ適用し、これらのカメラにて撮像された映像を動画映像で居室親機４のメモリ４００に保存する態様について説明したが、この態様に限定されるものではない。例えば、第１、第２の各玄関子機１ａ、１ｂの子機カメラ１０１、センサカメラ２のカメラ部２０１及び監視カメラ３から少なくとも１台の玄関側カメラを選択して、選択された玄関側カメラにて撮像された映像を動画映像で居室親機４のメモリ４００に保存することもできる。
【００７６】
さらに、前述までの実施例においては、住戸内に設置され、第１、第２の各玄関子機１ａ、１ｂ、・・・からの呼び出しに応答して通話を行い、第１、第２の各玄関子機１ａ、１ｂの子機カメラ１０１、センサカメラ２のカメラ部２０１及び監視カメラ３から選択された少なくとも１台の玄関側カメラにて撮像された映像を画面表示するためのモニタ４００を有する当該居室親機として、１台の居室親機４を備えた構成について説明したが、この構成に限定されるものではない。例えば、居室親機４のみならず、図中破線で示すように、居室親機４にライン接続され当該居室親機と同様な構成の増設親機（符号は付与せず。）を設けることもできる。
【００７７】
本発明のテレビドアホン装置においては、特定の実施の形態をもって説明してきたが、この形態に限定されるものでなく、本発明の効果を奏する限り、これまで知られた如何なる構成のテレビドアホン装置であっても採用できるということはいうまでもないことである。
【図面の簡単な説明】
【００７８】
【図１】図１は、本発明の実施例によるテレビドアホン装置の全体構成を示すシステム説明図である。
【図２】図２は、本発明の実施例によるテレビドアホン装置において、居室親機の具体的な構成を示すブロック図である。
【図３】図３は、本発明の実施例によるテレビドアホン装置において、居室親機のモニタにて行われる画面表示の一例を示す画面構成図である。
【図４】図４は、本発明の実施例によるテレビドアホン装置において、居室親機のモニタにて行われる画面表示の一例を示す画面構成図である。
【図５】図５は、本発明の実施例によるテレビドアホン装置において、居室親機のモニタにて行われる画面表示の一例を示す画面構成図である。
【図６】図６は、本発明の実施例によるテレビドアホン装置において、居室親機のモニタにて行われる画面表示の一例を示す画面構成図である。
【符号の説明】
【００７９】
１ａ、１ｂ……第１、第２の各玄関子機（玄関子機）
１００……呼出ボタン
１０１……子機カメラ
２……センサカメラ
３……カメラ
４……居室親機
４００……モニタ
４０２……親機スピーカ
４０６……映像処理回路（表示映像選択手段）
４０７……メモリ（記憶手段）
４０９……ＣＰＵ（記憶手段、表示映像選択手段）
【図１】
2008187656.tif 000003
【図２】
2008187656.tif 000004
【図３】
2008187656.tif 000005
【図４】
2008187656.tif 000006
【図５】
2008187656.tif 000007
【図６】
2008187656.tif 000008